(57)【特許請求の範囲】
【請求項１】
後部から引き入れられたシート状壁装材を前部に引き出す際に前記壁装材の裏面に糊を塗布する糊付機本体部を載置する台座部と、前記本体部を所定高さで支持するために台座部の左右両端下部にそれぞれ前後に二本一対で配される前脚と後脚とで構成される脚部と、各後脚に相対回動可能に係止されて前記本体部後方で糊付前の壁装材を支持する壁装材支持部材と、各前脚に相対回動可能に係止されて前記本体部前方で糊付後の壁装材を受けるためのトレイを支持するトレイ支持部材とを備え、前記脚部は、前後脚をそれぞれ前後方向に回動可能に台座部下部に連結して互いにの間隔が狭くなるように閉回動させた折り畳み状態と互いの間隔が広くなるように開回動させた使用状態とに変形させる第１の回動手段と、前後脚を一体的に左右方向に回動可能に台座部下部に連結して前記台座部の裏面側へ倒して成る収納状態と台座部糊面から垂下した使用状態とに変形させる第２の回動手段とを有し、前記壁装材支持部材と前記トレイ支持部材とは、前記第１の回転手段による前後脚の回動方向と平行な前後方向に互いに相対回動可能に連結される連結手段によって本体部下方で連結されると共に、前記前後脚とによってリンク機構を構成し、前記第１の回動手段による前後脚の回動動作と、前記連結手段による壁装材支持部材とトレイ支持部材との相対回動動作とを連動させることによって、壁装材支持部材とトレイ支持部材とが前記前後脚と一体的に使用状態または折り畳み状態に変形可能に構成され、前記第２の回動手段により、壁装材支持部材とトレイ支持部材とが前記脚部に伴って一体的に使用状態と収納状態に変形可能に構成されている壁紙糊付機において、
前記トレイ支持部材および前記壁装材支持部材は、それぞれ前記前脚および前記後脚に対する係止位置に対して略長手方向に沿って相対移動可能に係止し、前記係止位置における相対移動に伴って使用状態または折り畳み状態へ変形される変形手段を備え、
該変形手段による折り畳み状態への変形後に、前記トレイ支持部材および前記壁装材支持部材の前記前脚および前記後脚に対する係止位置における相対移動を規制状態とすると共に、折り畳み状態から使用状態への変形前に前記規制状態を解除できる規制手段を備え、
前記規制手段は、折り畳み状態においてトレイ支持部材の先端部を前脚の予め定められた部位に、壁装材支持部材の先端部を後脚の予め定められた部位にそれぞれ掛止するために、
前記トレイ支持部材および前記壁装材支持部材の各先端部にそれぞれ設けられた突起と、前記前脚及び前記後脚の各予め定められた部位に形成され、前記折り畳み状態において、各突起にそれぞれ嵌合すると共に前記トレイ支持部材および前記壁装材支持部材の折り畳み状態への変形回動と前記第１の回動手段による前記前後脚の閉回動に伴う前記各突起の軌跡に沿って伸びる切欠と、を有し、前記前後脚と前記トレイ支持部材および前記壁装材支持部材の折り畳み状態への変形完了と同時に各突起が対応する切欠き内に挿入されて嵌合状態となるストッパー機構を備えたことを特徴とする壁紙糊付機。
【発明の詳細な説明】
【０００１】
【発明の属する技術分野】
本発明は、壁装材の裏面に糊を連続的に塗布する壁紙糊付機に関するものである。
【０００２】
【従来の技術】
建物の内装仕上げとして、各種素材からなるシート状壁装材、所謂壁紙が壁面が貼付される。通常、この壁紙の施工は、現場にて壁紙の裏面に糊を塗布し、順次壁面に貼付される。
【０００３】
従来から、壁紙への糊の塗布には、壁紙糊付機が用いられている。この壁紙糊付機は、本体内に複数のロールと糊桶を備え、本体後部から引き入れた壁装材を内部の各種ロールで前方へ送り出しながら、途中の糊付ロールに壁装材裏面を接触させることによって糊桶の糊を塗布するものである。
【０００４】
このような糊付機本体は、通常、壁装材支持部材や糊付済み壁装材を受けるトレイの支持部材を備えた脚付き台座に載置されて使用される。この台座部も、糊付機本体と同様に現場に搬送されて使用前に組立設置されるものであるが、現在は、簡便のために、脚部が台座部の裏面側に折り畳めると同時に、脚部を折り畳む際に、壁装材支持部材とトレイ支持部材も台座部裏面側に収納できるタイプのものが開発されている。
【０００５】
そのような折り畳み式の一例として、たとえば、特開平９−１５００８９号公報に開示されているものがある。これは、図３（ａ）に示すように、糊付機本体が載置される台座部９の左右両端の下部にそれぞれ脚部８が配置されており、この左右の脚部８はそれぞれ、前後方向に配設された二本一対の前脚８ａと後脚８ｂとで構成されている。これら計４本の脚がそれぞれ方形の糊付機本体の四隅部分を台座部９を介して支えることとなるが、左右の二本づつが一対の脚部８を構成している。
【０００６】
左右脚部の各後脚８ｂには、それぞれ壁装材支持部材としてのクロスブラケット１１がボルトにより係止されており、この左右一対のクロスブラケット１１の糊付機本体の後方に伸びる先端部間に、ロール状に巻かれた壁装材の中心を貫通した棒状のクロスバーが枢止される。
【０００７】
このクロスブラケット１１は、その長手方向に伸びるスリット孔が形成されており、このスリット孔に前記係止ボルトの軸部が貫通するように構成されており、後脚８ｂとの係止部は、係止ボルトの締め付けにより固定されるが、ボルトをゆるめると遊貫状態となり、スリット孔に対してボルトが相対的に摺動することによってクロスブラケット１１が後脚８ｂに対してスライド移動可能であると同時に相対回動可能となっている。
【０００８】
一方、左右脚部の各前脚８ａには、それぞれトレイ支持部材としてのトレイブラケット１３がボルトで係止されており、この左右一対のトレイブラケット１３の前方に伸びた先端部上面で糊付後の壁装材を受けるためのトレイが支持される。
【０００９】
このトレイブラケット１３も、それぞれその長手方向に伸びるスリット孔が形成されており、このスリット孔に前記係止ボルトの軸部が貫通するように構成されており、前脚８ａとの係止部は、係止ボルトの締め付けにより固定されるが、ボルトをゆるめると遊貫状態となり、スリット孔に対してボルトが相対的に摺動することによってトレイブラケット１３が前脚８ａに対してスライド移動可能であると同時に相対回動可能となっている。
【００１０】
また、各クロスブラケット１１の前端とトレイブラケット１３の後端とが、ぞれぞれ互いに相対回動可能に連結部６０で連結されている。
【００１１】
各脚部８において、装置の組上がりの使用状態においては、前脚８ａと後脚８ｂは、安定した本体支持ができるように互いに前後方向外側へにハの字状に開いた状態となっているが、後に台座部裏面内に収納できるように、折り畳み時にこの間隔を狭められるようにそれぞれ根元部分で前後方向内側へ閉じるように回動可能となっている。
【００１２】
このとき、トレイブラケット１３とクロスブラケット１１の係止ボルトを緩めて、それぞれ前後方向内側へ付勢することによって、両ブラケットの各スリット孔と係止ボルトとの相対摺動によるスライド移動させると共に連結部で回動させてトレイブラケット１３とクロスブラケット１１を連結部６０を中心にして互いに閉方向に折り畳める（図３（ｂ））ことができ、この折り畳み状態において、トレイブラケット１３とクロスブラケット１１は上記のごとき前脚８ａと後脚８ｂの閉回動に抵抗することはない。
【００１３】
このように、前後脚の閉回動を進めると、これに伴ってトレイブラケット１３とクロスブラケット１１もさらに閉回動してより折り畳まれる。さらに、前後脚は、その根元部４４で一体的に左右方向内側へ、すなわち台座裏面側へ回動可能となっており、上記の前後脚の前後方向閉状態およびトレイブラケット１３とクロスブラケット１１の折り畳み状態（図３（ｃ））が得られたら、左右の脚部８をそれぞれ左右方向内側へ折り畳むことによって、図３（ｄ）に示すように台座部裏面に全脚部８とトレイブラケット１３とクロスブラケット１１を収納することができる。
【００１４】
使用時の組立には、逆の手順で、収納状態から左右脚部８をそれぞれトレイブラケット１３とクロスブラケット１１とともに左右外方向へ開回動して台座下方から垂下状態とし、次に各脚部において、前脚８ａと後脚８ｂを前後方向外側へ開回動させた後、トレイブラケット１３とクロスブラケット１１とを前脚及び後脚に対してスライド移動させながら互いに前後方向外側へ連結部で回動させて開き、折り畳み状態から所定の使用状態へ位置づければ良い。
【００１５】
【発明が解決しようとする課題】
しかしながら、上記の如き従来の折り畳み式壁紙糊付機では、収納状態においても、トレイブラケットとクロスブラケットは前脚及び後脚に対してスライド移動可能であるため、搬送等の際に、台座部が傾斜したり振動したりすると、両ブラケットが頻繁にスライド移動して安定しないだけでなく、その位置によっては組立を始めようとする際に、部材同士がその開回動を妨げるように引っかかった状態で重なって脚部の左右方向外側への開回動を妨げることがある。
【００１６】
さらに、前後脚の折り畳み状態から使用状態への変形作業中もトレイブラケットとクロスブラケットはスライド移動してしまい、両ブラケットの位置によっては先端部が台座に衝突して作業がスムーズに行えなかったりと、組立作業が繁雑で手間の係るものとなってしまう。
【００１７】
特に、装置の構成や組立作業に慣れていない作業者にとっては、脚部の組立中に混乱して組み立て方がわからなくなる可能性もある。
【００１８】
本発明は、上記問題点に鑑み、収納状態において、トレイブラケットとクロスブラケットとがスライド移動することなく、且つ、決まった手順でのみ脚部の組み立てが可能となる壁紙糊付機を得ることを目的とする。
【００１９】
【課題を解決するための手段】
上記目的を達成するため、請求項１に記載の発明に係る自動壁紙糊付機では、後部から引き入れられたシート状壁装材を前部に引き出す際に前記壁装材の裏面に糊を塗布する糊付機本体部を載置する台座部と、前記本体部を所定高さで支持するために台座部の左右両端下部にそれぞれ前後に二本一対で配される前脚と後脚とで構成される脚部と、各後脚に相対回動可能に係止されて前記本体部後方で糊付前の壁装材を支持する壁装材支持部材と、各前脚に相対回動可能に係止されて前記本体部前方で糊付後の壁装材を受けるためのトレイを支持するトレイ支持部材とを備え、前記脚部は、前後脚をそれぞれ前後方向に回動可能に台座部下部に連結して互いにの間隔が狭くなるように閉回動させた折り畳み状態と互いの間隔が広くなるように開回動させた使用状態とに変形させる第１の回動手段と、前後脚を一体的に左右方向に回動可能に台座部下部に連結して前記台座部の裏面側へ倒して成る収納状態と台座部糊面から垂下した使用状態とに変形させる第２の回動手段とを有し、前記壁装材支持部材と前記トレイ支持部材とは、前記第１の回転手段による前後脚の回動方向と平行な前後方向に互いに相対回動可能に連結される連結手段によって本体部下方で連結されると共に、前記前後脚とによってリンク機構を構成し、前記第１の回動手段による前後脚の回動動作と、前記連結手段による壁装材支持部材とトレイ支持部材との相対回動動作とを連動させることによって、壁装材支持部材とトレイ支持部材とが前記前後脚と一体的に使用状態または折り畳み状態に変形可能に構成され、前記第２の回動手段により、壁装材支持部材とトレイ支持部材とが前記脚部に伴って一体的に使用状態と収納状態に変形可能に構成されている壁紙糊付機において、前記トレイ支持部材および前記壁装材支持部材は、それぞれ前記前脚および前記後脚に対する係止位置に対して略長手方向に沿って相対移動可能に係止し、前記係止位置における相対移動に伴って使用状態または折り畳み状態へ変形される変形手段を備え、該変形手段による折り畳み状態への変形後に、前記トレイ支持部材および前記壁装材支持部材の前記前脚および前記後脚に対する係止位置における相対移動を規制状態とすると共に、折り畳み状態から使用状態への変形前に前記規制状態を解除できる規制手段を備え、前記規制手段は、折り畳み状態においてトレイ支持部材の先端部を前脚の予め定められた部位に、壁装材支持部材の先端部を後脚の予め定められた部位にそれぞれ掛止するために、前記トレイ支持部材および前記壁装材支持部材の各先端部にそれぞれ設けられた突起と、前記前脚及び前記後脚の各予め定められた部位に形成され、前記折り畳み状態において、各突起にそれぞれ嵌合すると共に前記トレイ支持部材および前記壁装材支持部材の折り畳み状態への変形回動と前記第１の回動手段による前記前後脚の閉回動に伴う前記各突起の軌跡に沿って伸びる切欠と、を有し、前記前後脚と前記トレイ支持部材および前記壁装材支持部材の折り畳み状態への変形完了と同時に各突起が対応する切欠き内に挿入されて嵌合状態となるストッパー機構を備えたものである。
【００２２】
本発明においては、脚部に伴う折り畳み状態において、トレイ支持部材と壁装材支持部材とが、規制手段によって前脚および後脚に対して相対移動することが防止されるため、脚部の台座部裏面側に収納された状態において、搬送により台座部が傾斜したり振動したりしても、両支持部材が位置を変化させて後の組立の際に部材同士がその開回動を妨げるように引っかかった状態で重なって脚部の左右方向外側への開回動を妨げたり、両支持部材の前脚と後脚の折り畳み状態から使用状態への変形作業中の移動によって先端部が台座に衝突してりして作業がスムーズに行えなかったりする問題は解消され、繁雑な手間が省けて作業効率が向上する。
【００２３】
また、本発明の構成においては、常に、トレイ支持部材および壁装材支持部材の前脚及び後脚に対する相対移動の規制手段による規制状態が解除されなければ折り畳み状態から使用状態へ変形できないため、作業中に両支持部材が移動してなれない作業者を混乱させることもなく、決まった手順に従いさえすれば、慣れない作業者でもスムーズに組立および収納作業が行える。
【００２４】
なお、トレイ支持部材および壁装材支持部材を前脚及び後脚に対する係止位置相対移動させる変形手段としては、従来技術と同様に、各脚部の係止部に設けられた係止ボルトを、各支持部材にそれぞれ形成された長手方向に延びるスライド孔に貫通させ、そのスライド孔内を相対的にスライド移動可能とすることによって、両支持部材が前脚及び後脚に対してスライド移動できる構成が簡便である。
【００２５】
また、前記規制手段としては、請求項２に記載したように、折り畳み状態において、トレイ支持部材及び壁装材支持部材の各先端部を直接、前脚及び孔脚のそれぞれ予め定められた部位に掛止するストッパー機構が簡便である。
【００２６】
ストッパー機構としては、各支持部材の先端部を対応する脚の所定位置にそれぞれ解除可能に掛止できる構成であれば、種々のものが利用できるが、例えば、請求項３に記載したように、折り畳み状態において各支持部材の先端部に設けた突起を、対応する脚の予め定められた部位に、両支持部材の折り畳み状態への変形回動に伴う前記各突起の軌跡に沿って伸びるように形成された切欠に嵌合する構成とすれば、両支持部材の折り畳み状態への変形完了と同時に各突起が対応する各切欠き内に挿入されるので、嵌合による部材の規制状態を容易にえることができる。
【００２７】
この各突起がそれぞれ対応する切欠きに嵌合した状態においては、トレイ支持部材および壁装材支持部材の前脚及び後脚に対する長手方向の相対移動が規制される。なお、収納状態において、何らかの外部からの付勢による衝撃で、嵌合状態が容易に解除されることがないように、各切欠内にばね式等のロック機構を設けても良い。
【００２８】
【発明の実施の形態】
以下に、本発明の一実施の形態による壁紙糊付機として、折り畳み状態においてトレイ支持部材および壁装材支持部材を前脚及び後脚にそれぞれ掛止するストッパー機構を、突起と切欠の嵌合によって構成する場合を示す。
【００２９】
本実施形態による壁紙糊付機は、図１に示すように、図３に示した従来の壁紙糊付機と同様の基本構成を持つものである。即ち、糊付機本体が載置される台座部９の左右両端の下部にそれぞれ脚部８が配置されており、この左右の脚部８はそれぞれ、前後方向に配設された二本一対の前脚８ａと後脚８ｂとで構成されている。これら計４本の脚がそれぞれ方形の糊付機本体の四隅部分を台座部９を介して支えることとなるが、左右の二本づつが一対の脚部８を構成している。
【００３０】
左右脚部の各後脚８ｂには、それぞれ壁装材支持部材としてのクロスブラケット１が外側からボルトにより係止されており、この左右一対のクロスブラケット１の糊付機本体の後方に伸びる先端部間に、ロール状に巻かれた壁装材の中心を貫通した棒状のクロスバーが枢止される。
【００３１】
このクロスブラケット１は、その長手方向に伸びるスリット孔が形成されており、このスリット孔に前記係止ボルトの軸部が貫通するように構成されており、後脚８ｂとの係止部は、係止ボルトの締め付けにより固定されるが、ボルトをゆるめると遊貫状態となり、スリット孔に対してボルトが相対的に摺動することによってクロスブラケット１が後脚８ｂに対してスライド移動可能であると同時に相対回動可能となっている。
【００３２】
一方、左右脚部の各前脚８ａには、それぞれトレイ支持部材としてのトレイブラケット３が外側からボルトで係止されており、この左右一対のトレイブラケット３の前方に伸びた先端部上面で糊付後の壁装材を受けるためのトレイが支持される。
【００３３】
このトレイブラケット３も、それぞれその長手方向に伸びるスリット孔が形成されており、このスリット孔に前記係止ボルトの軸部が貫通するように構成されており、前脚８ａとの係止部は、係止ボルトの締め付けにより固定されるが、ボルトをゆるめると遊貫状態となり、スリット孔に対してボルトが相対的に摺動することによってトレイブラケット３が前脚８ａに対してスライド移動可能であると同時に相対回動可能となっている。
【００３４】
また、各クロスブラケット１の前端とトレイブラケット３の後端とが、ぞれぞれ互いに相対回動可能に連結部６０で連結されている。また、クロスブラケット１の先端部の内側面に突起２が、トレイブラケット３の先端部の内側面に突起４がそれぞれ形成されていると共に、前脚８ａ及び後脚８ｂには、それぞれ、前記突起４及び突起２が後述の如く嵌合するための切欠６ａおよび切欠６ｂがそれぞれ設けられている。
【００３５】
ここでは、それぞれ切欠（６ａ，６ｂ）が形成された掛止部材（５ａ，５ｂ）を前後脚（８ａ，８ｂ）にそれぞれ取り付けており、脚部材に直接切欠を形成したものではない。
【００３６】
各脚部８において、装置の組上がりの使用状態においては、前脚８ａと後脚８ｂは、安定した本体支持ができるように互いに前後方向外側へにハの字状に開いた状態となっているが、後に台座部裏面内に収納できるように、折り畳み時にこの間隔を狭められるようにそれぞれ根元部分で前後方向内側へ閉じるように第１の回動手段４０によって回動可能に台座部９に連結されている。
【００３７】
この前後脚（８ａ，８ｂ）を閉じる際には、まず、トレイブラケット３とクロスブラケット１の係止ボルトを緩めて、それぞれ前後方向内側へ付勢することによって、両ブラケットの各スリット孔と係止ボルトとの相対摺動によるスライド移動させると共に連結部６０で回動させてトレイブラケット３とクロスブラケット１を連結部６０を中心にして互いに閉方向に折り畳む（図１（ｂ））。
【００３８】
各切欠６ｂ及び切欠６ａの形状は、図２の部分拡大図に示すように、開口端から奥の突き当たり端にかけて、それぞれ対応する突起２及び突起４の両ブラケット尾折り畳み変形回動に伴う軌跡に沿って湾曲しており、突起２及び突起４は、上記折り畳み状態において、トレイブラケット３とクロスブラケット１の折り畳み変形に伴って切欠６ｂ及び切欠６ａに挿入されて容易に嵌合状態となる。
【００３９】
以上のように、トレイブラケット３とクロスブラケット１とが折り畳まれると同時に、それぞれ突起２および突起４の切欠６ｂ及び切欠との嵌合状態によって後脚８ｂ及び前脚８ａに掛止された状態で、前脚８ａと後脚８ｂを互いに前後方向へ相対回動させて閉状態とすることができる（図１（ｃ））。
【００４０】
さらに、前後脚（８ａ，８ｂ）は、その根元部で一体的に左右方向内側へ、すなわち台座部９裏面側へ回動可能に第２の回動手段４４によって台座部９に連結されており、上記の前後脚（８ａ，８ｂ）が閉状態となった左右の脚部８をそれぞれトレイブラケット３とクロスブラケット１とを伴って第２の回動手段によって台座部９裏面側へ折り畳むことによって、収納状態が得られる。
【００４１】
この収納状態において、台座部９の搬送中に傾斜や振動が生じても、トレイブラケット３とクロスブラケット１は上記ストッパー機構による掛止状態によってスライド移動が規制されるため、部材同士が引っかかって後の組立作業を困難にするような問題は生じない。
【００４２】
また、使用時の組立には、逆の手順で、収納、折り畳み状態から使用状態へ変形させればよい。即ち、まず収納状態から左右脚部８をそれぞれトレイブラケット３とクロスブラケット１を伴って左右外方向へ開回動して台座下方から垂下状態とする。
【００４３】
次に各脚部８において、前脚８ａと後脚８ｂを前後方向外側へ開回動させた後、トレイブラケット３およびクロスブラケット１とを、各突起４および突起２の切欠６ａ及び切欠６ｂの嵌合から外してから、前脚８ａ及び後脚ｂに対してスライド移動させながら互いに前後方向外側へ連結部６０で回動させて開き、折り畳み状態から所定の使用状態へ位置づければ良い。
【００４４】
この左右両脚部８の開回動から前脚８ａと後脚８ｂとの開回動による使用状態への変形の間、トレイブラケット３およびクロスブラケット１はスライド移動が規制された状態のままであるので、他の部材に衝突したり、引っかかったりすることなく、スムーズな組立作業が行える。
【００４５】
【発明の効果】
本発明は以上説明したとおり、本発明の壁紙糊付機によれば、収納状態において、また脚部の折り畳み状態から使用状態への変形作業中にトレイブラケットおよびクロスブラケットの前後脚部に対する相対移動が規制されるため、部材同士が衝突したり引っかかったりして作業を煩雑、困難にするような位置に移動することが無いため、組立および折り畳み収納作業の効率が向上し、決まった手順に従いさえすれば、慣れない作業者にも容易に組立および折り畳み収納作業が行えるという効果がある。
【図面の簡単な説明】
【図１】本発明の一実施の形態による壁紙糊付機を示す台座部および脚部の概略構成図であり、（ａ）（ｂ）（ｃ）はそれぞれ使用状態から折り畳み状態への変形の経過を示す側面模式図である。
【図２】図１のストッパー機構を説明する部分拡大図である。
【図３】従来の壁紙糊付機の一例を示す台座部および脚部の概略構成図であり、（ａ）（ｂ）（ｃ）（ｄ）はそれぞれ使用状態から折り畳み状態への変形の経過を示す側面模式図である。
【符号の説明】
１，１１：クロスブロケット
２，４：突起
３，１３：トレイブロケット
５ａ，５ｂ：掛止部材
６ａ，６ｂ：切欠
８：脚部
８ａ：前脚
８ｂ：後脚
９：台座部
４０：第１の回動手段
４４：第２の回動手段
６０：連結部
【図１】
0004111471.tif 000002
【図２】
0004111471.tif 000003
【図３】
0004111471.tif 000004